(57)【要約】【課題】記録容量を従来に較べてより大容量とするホログラム再生媒体、ホログラム再生媒体複製用原盤、ホログラム再生媒体複製用原盤の製造装置、ホログラム再生媒体複製用原盤の製造方法およびホログラム再生媒体の製造方法を提供する。【解決手段】記録データの情報を含む第１信号光を焦点位置Ｐ１に集光するようにしてホログラム再生媒体複製用原盤６０Ａに照射するとともに、第１参照光をホログラム再生媒体複製用原盤６０Ａに照射して第ホログラムを形成し、情報を含まないまたは記録データとは異なる情報を含む第２信号光４３を焦点位置Ｐ２に集光するようにしてホログラム再生媒体複製用原盤に照射するとともに、第２参照光４４をホログラム再生媒体複製用原盤６０Ａに照射して第２ホログラムを形成したホログラム再生媒体複製用原盤を製造し、このホログラム再生媒体複製用原盤を用いて、大容量のホログラム再生媒体を製造する。【選択図】図４
2008112106.tif 000002
【特許請求の範囲】
【請求項１】
記録データを担持するホログラムをホログラム再生媒体に複製するために用いるホログラム再生媒体複製用原盤の製造装置であって、
前記記録データの情報を含む第１信号光を第１所定位置に集光するようにして前記ホログラム再生媒体複製用原盤に照射するとともに、第１参照光を前記ホログラム再生媒体複製用原盤に照射して第１ホログラムを形成するための光学部材からなる光路と、
情報を含まないまたは前記記録データとは異なる情報を含む第２信号光を第２所定位置に集光するようにして前記ホログラム再生媒体複製用原盤に照射するとともに、第２参照光を前記ホログラム再生媒体複製用原盤に照射して第２ホログラムを形成するための光学部材からなる光路と、を備えるホログラム再生媒体複製用原盤の製造装置。
【請求項２】
前記第１所定位置と前記第２所定位置は、前記ホログラム再生媒体複製用原盤の厚み方向に離間して配置されることを特徴とする請求項１に記載のホログラム再生媒体複製用原盤の製造装置。
【請求項３】
第１信号光は平行光として前記光路を形成する対物レンズによって第１所定位置に集光され、前記第２信号光は発散光または収束光として前記対物レンズによって第２所定位置に集光されることを特徴とする請求項１に記載のホログラム再生媒体複製用原盤の製造装置。
【請求項４】
記録データを担持するホログラムをホログラム再生媒体に複製するために用いるホログラム再生媒体複製用原盤であって、
前記記録データの情報を含む第１ホログラムと、情報を含まないまたは前記記録データとは異なる情報を含む第２ホログラムとが、各々の形成される位置を異ならせて重複して記録されていることを特徴とするホログラム再生媒体複製用原盤。
【請求項５】
前記第１ホログラムと、前記第２ホログラムとが、該ホログラム再生媒体複製用原盤の厚み方向に離間して形成されることを特徴とする請求項４に記載のホログラム再生媒体複製用原盤。
【請求項６】
記録データを担持するホログラムをホログラム再生媒体に複製するために用いるホログラム再生媒体複製用原盤の製造方法であって、
前記記録データの情報を含む第１信号光を第１所定位置に集光するようにして前記ホログラム再生媒体複製用原盤に照射するとともに、第１参照光を前記ホログラム再生媒体複製用原盤に照射して第１ホログラムを形成し、
情報を含まないまたは前記記録データとは異なる情報を含む第２信号光を第２所定位置に集光するようにして前記ホログラム再生媒体複製用原盤に照射するとともに、第２参照光を前記ホログラム再生媒体複製用原盤に照射して第２ホログラムを形成するホログラム再生媒体複製用原盤の製造方法。
【請求項７】
記録データを担持するホログラム有するホログラム再生媒体の製造方法であって、
第１ホログラムと第２ホログラムとが、該ホログラム再生媒体複製用原盤の厚み方向に離間して形成されたホログラム再生媒体複製用原盤と、前記ホログラム再生媒体と、前記ホログラム再生媒体に対抗する面に光ビーム反射面を有するミラーとを順に配置し、
前記ホログラム再生媒体複製用原盤に複製用光ビームを照射して前記ホログラム再生媒体複製用原盤に形成されたホログラムに応じた回折光を発生させ、
前記回折光と前記ホログラム再生媒体を透過して前記ミラーで反射した回折光とによって、前記ホログラム再生媒体複製用原盤に記録されたホログラムを前記ホログラム再生媒体に複製するホログラム再生媒体の製造方法。
【請求項８】
記録データを担持するホログラム有するホログラム再生媒体であって、
第１ホログラムと第２ホログラムとが、該ホログラム再生媒体複製用原盤に離間して形成されたホログラム再生媒体複製用原盤と、前記ホログラム再生媒体と、前記ホログラム再生媒体と対抗する面に光ビーム反射面を有するミラーとを順に配置し、
前記ホログラム再生媒体複製用原盤に複製用光ビームを照射して前記ホログラム再生媒体複製用原盤に形成されたホログラムに応じた回折光を発生させ、
前記回折光と前記ホログラム再生媒体を透過して前記ミラーで反射した回折光とによって、前記ホログラム再生媒体複製用原盤に記録されたホログラムが複製されたホログラム再生媒体。
【発明の詳細な説明】
【技術分野】
【０００１】
本発明は、ホログラム再生媒体複製用原盤、ホログラム再生媒体複製用原盤の製造装置、ホログラム再生媒体複製用原盤の製造方法、ホログラム再生媒体の製造方法およびホログラム再生媒体に関する。
【背景技術】
【０００２】
近年、高記録密度を達成するとともに、高転送速度で記録データを記録再生することが可能なデータストレージデバイスとしてホログラム記録再生媒体が注目を集めている。ホログラフィックメモリでは、記録媒体の厚み方向も活用し、記録に際しては、２次元の情報を１ページ単位として記録データに応じたページデータに基づき参照光と信号光との干渉縞を、ホログラム記録再生媒体の中にホログラムとして形成して、３次元的に記録するものである。また、再生に際しては、このようにして形成されたホログラムに参照光を照射して発生する回折光を得て記録データを再生する（特許文献１、非特許文献１を参照）。
【０００３】
このようなホログラム記録再生媒体に記録再生をおこなうホログラム記録再生装置に用いる光学部品の組み合わせによって構成される光学系の代表例としては、２光束方式とコアクシャル方式との２つがある。２光束方式は、信号光と参照光とを別の光路によってホログラム記録再生媒体に導くように光学部品が配置されるものであり、コアクシャル方式は、信号光と参照光とが同軸状（コアクシャル）に配置され、光路の一部を共通として、信号光と参照光とをホログラム記録再生媒体に導くように光学部品が配置されるものである（非特許文献１を参照）。
【０００４】
一方、ＣＤ（Ｃｏｍｐａｃｔ  Ｄｉｓｃ）フォーマット、ＤＶＤ（Ｄｉｇｉｔａｌ  Ｖｅｒｓａｔｉｌｅ  Ｄｉｓｃ）フォーマットに基づくデータストレージデバイスが、現在、広く普及している。これらの技術においては、記録媒体に追記、再書き換えが可能とされる記録媒体のみではなく、多量に複製して頒布できるＣＤ−ＲＯＭ、ＤＶＤ−ＲＯＭで代表されるＲＯＭ媒体（再生専用媒体）が広く用いられている。ＣＤ−ＲＯＭ、ＤＶＤ−ＲＯＭにおいては、再生媒体複製用原盤であるマスター盤を製作し、あるいは、マスター盤からさらにマザー盤を製作し、マスター盤またはマザー盤を原盤として、この原盤の型に樹脂を流して成型して、原盤のレプリカであるＣＤ−ＲＯＭ、ＤＶＤ−ＲＯＭを大量に製造する手法が採用されている。
【０００５】
ホログラム記録再生媒体においても、上述した、ＣＤ−ＲＯＭ、ＤＶＤ−ＲＯＭと同様に、同一形状のホログラムが形成されたホログラム記録再生媒体を多量に複製することが考えられている（特許文献２を参照）。特許文献２では、記録済みのホログラム記録再生媒体を大量に複製するための元となる光記録情報媒体への光情報記録方法が開示されている。また、特許文献１には、第１の記録用照射光の集光の位置と第２の記録用照射光の集光の位置とを異ならせ記録容量を大きくする技術が開示されている。
【特許文献１】特開平９−３０５９７８号公報
【特許文献２】国際公開ＷＯ２００５／０３８７８９Ａ１  パンフレット
【非特許文献１】日経エレクトロニクス２００５年１月１７日号１０６頁〜１１４頁
【発明の開示】
【発明が解決しようとする課題】
【０００６】
上述した、コアクシャル方式では、例えば、空間変調器の内周部分を信号光領域、外周のドーナツ状部分を参照光領域として信号光と参照光とを発生させる。また、コアクシャル方式では、信号光と参照光とが同一光路を通るために、２光束方式に比べて振動に強い利点がある一方で、２光束方式であれば空間変調器のすべての画素を信号光用として使えるのに対し、コアクシャル方式では、上述のように参照光領域に対応する画素を記録情報用には使えず、一度に記録できる情報量が少ない。
【０００７】
本発明は上述の問題を解決し、記録容量を従来に較べてより大容量とするホログラム再生媒体、このようなホログラム再生媒体を製造するためのホログラム再生媒体複製用原盤、このようなホログラム再生媒体複製用原盤の製造装置、このようなホログラム再生媒体複製用原盤の製造方法およびホログラム再生媒体の製造方法を提供することを目的とする。また、反射膜を有しないホログラム再生媒体を提供することを別の目的とする。
【課題を解決するための手段】
【０００８】
本発明のホログラム再生媒体複製用原盤の製造装置は、記録データを担持するホログラムをホログラム再生媒体に複製するために用いるホログラム再生媒体複製用原盤の製造装置であって、前記記録データの情報を含む第１信号光を第１所定位置に集光するようにして前記ホログラム再生媒体複製用原盤に照射するとともに、第１参照光を前記ホログラム再生媒体複製用原盤に照射して第１ホログラムを形成するための光学部材からなる光路と、情報を含まないまたは前記記録データとは異なる情報を含む第２信号光を第２所定位置に集光するようにして前記ホログラム再生媒体複製用原盤に照射するとともに、第２参照光を前記ホログラム再生媒体複製用原盤に照射して第２ホログラムを形成するための光学部材からなる光路と、を備える。
【０００９】
このホログラム再生媒体複製用原盤の製造装置では、第１ホログラムを形成するための光学部材からなる光路と、第２ホログラムを形成するための光学部材からなる光路と、の２つの光路を有するようにして構成されている。このホログラム再生媒体複製用原盤の製造装置によって製造されるホログラム再生媒体複製用原盤には、第１信号光を第１所定位置に集光するようにして第１ホログラムが形成され、情報を含まないまたは記録データとは異なる情報を含む第２信号光を第２所定位置に集光するようにして第２ホログラムが形成されるので、大容量の情報を含むホログラム再生媒体複製用原盤を製造することができる。
【００１０】
本発明のホログラム再生媒体複製用原盤は、記録データを担持するホログラムをホログラム再生媒体に複製するために用いるホログラム再生媒体複製用原盤であって、前記記録データの情報を含む第１ホログラムと、情報を含まないまたは前記記録データとは異なる情報を含む第２ホログラムとが、各々の形成される位置を異ならせて重複して記録されているものである。
【００１１】
この発明のホログラム再生媒体複製用原盤では、記録データの情報を含む第１ホログラムと、情報を含まないまたは記録データとは異なる情報を含む第２ホログラムとが、各々の形成される位置を異ならせて重複して記録されているものである。このホログラム再生媒体複製用原盤に光ビームを照射することによって、第１ホログラムおよび第２ホログラムから同時に回折光を生じさせることができ、この回折光に含まれる情報の量は大きなものとなる。
【００１２】
本発明のホログラム再生媒体複製用原盤の製造方法は、記録データを担持するホログラムをホログラム再生媒体に複製するために用いるホログラム再生媒体複製用原盤の製造方法であって、前記記録データの情報を含む第１信号光を第１所定位置に集光するようにして前記ホログラム再生媒体複製用原盤に照射するとともに、第１参照光を前記ホログラム再生媒体複製用原盤に照射して第１ホログラムを形成し、情報を含まないまたは前記記録データとは異なる情報を含む第２信号光を第２所定位置に集光するようにして前記ホログラム再生媒体複製用原盤に照射するとともに、第２参照光を前記ホログラム再生媒体複製用原盤に照射して第２ホログラムを形成するものである。
【００１３】
このホログラム再生媒体複製用原盤の製造方法では、第１信号光と第２信号光との集光位置を異ならせて、第１ホログラムと第２ホログラムとを形成したホログラム再生媒体複製用原盤を製造することができる。
【００１４】
本発明のホログラム再生媒体の製造方法は、記録データを担持するホログラム有するホログラム再生媒体の製造方法であって、第１ホログラムと第２ホログラムとが、該ホログラム再生媒体複製用原盤に離間して形成されたホログラム再生媒体複製用原盤と、前記ホログラム再生媒体と、前記ホログラム再生媒体に対抗する面に光ビーム反射面を有するミラーとを順に配置し、前記ホログラム再生媒体複製用原盤に複製用光ビームを照射して前記ホログラム再生媒体複製用原盤に形成されたホログラムに応じた回折光を発生させ、前記回折光と前記ホログラム再生媒体を透過して前記ミラーで反射した回折光とによって、前記ホログラム再生媒体複製用原盤に記録されたホログラムを前記ホログラム再生媒体に複製するものである。
【００１５】
このホログラム再生媒体の製造方法では、第１ホログラムと第２ホログラムとが、該ホログラム再生媒体複製用原盤に離間して形成されたホログラム再生媒体複製用原盤から生じ、直接にホログラム再生媒体に照射される回折光と、一旦、ホログラム再生媒体を透過してミラーで反射した回折光が干渉する結果、第１ホログラムからの直接の回折光、第１ホログラムからの回折光の反射光、第２ホログラムからの直接の回折光、第２ホログラムからの回折光の反射光、の各々が相互に干渉して、情報密度が向上されたホログラムをホログラム再生媒体に記録することができる。また、ミラーで回折光を反射させるので、反射膜を有しないホログラム再生媒体を製造することができる。
【００１６】
本発明のホログラム再生媒体は、記録データを担持するホログラム有するホログラム再生媒体であって、第１ホログラムと第２ホログラムとが、該ホログラム再生媒体複製用原盤の厚み方向に離間して形成されたホログラム再生媒体複製用原盤と、前記ホログラム再生媒体と、前記ホログラム再生媒体と対抗する面に光ビーム反射面を有するミラーとを順に配置し、前記ホログラム再生媒体複製用原盤に複製用光ビームを照射して前記ホログラム再生媒体複製用原盤に形成されたホログラムに応じた回折光を発生させ、前記回折光と前記ホログラム再生媒体を透過して前記ミラーで反射した回折光とによって、前記ホログラム再生媒体複製用原盤に記録されたホログラムが複製されたものである。
【００１７】
このホログラム再生媒体では、第１ホログラムと第２ホログラムとが、該ホログラム再生媒体複製用原盤に離間して形成されたホログラム再生媒体複製用原盤から生じ、直接にホログラム再生媒体に照射される回折光と、一旦、ホログラム再生媒体を透過してミラーで反射した回折光が干渉する結果、第１ホログラムからの直接の回折光、第１ホログラムからの回折光の反射光、第２ホログラムからの直接の回折光、第２ホログラムからの回折光の反射光、の各々が相互に干渉して、情報密度が向上されたホログラムが記録されているので大容量の情報が再生できる。また、ミラーで回折光を反射させるので、ホログラム再生媒体は反射膜を有しないものとできる。
【発明の効果】
【００１８】
本発明によれば、記録容量を従来に較べてより大容量とするホログラム再生媒体、このようなホログラム再生媒体を製造するためのホログラム再生媒体複製用原盤、このようなホログラム再生媒体複製用原盤の製造装置、このようなホログラム再生媒体複製用原盤の製造方法およびホログラム再生媒体の製造方法を提供することができる。また、ホログラム再生媒体は反射膜を有しないものとできる。
【発明を実施するための最良の形態】
【００１９】
図１ないし図４を参照して、ホログラム再生媒体を製造するに用いる実施形態のホログラム再生媒体複製用原盤の製造をするための技術について説明する。図１および図３はホログラム再生媒体複製用原盤を製造するための製造装置の主要部である光学部を示す図である。図２および図４はホログラム再生媒体複製用原盤を製造する過程において、どのように光ビームが照射されるかを示す図である。図１は第１ホログラムを形成するための光学部材からなる光路を示し、図３は、第２ホログラムを形成するための光学部材からなる光路を示すものである。
【００２０】
図１および図３に示すホログラム再生媒体複製用原盤を製造するための製造装置の主要部である光学部１０は、第１ホログラムを形成するための光路を形成する光学部材および第２ホログラムを形成するための光路を形成する光学部材として、レーザ光源１１、１／２波長板１２、偏光ビームスプリッタ１３、１／２波長板１４、偏光ビームスプリッタ１６、偏光ビームスプリッタ１８、反射型強誘電体液晶１９、１／２波長板２０、偏光ビームスプリッタ２１、１／２波長板２２、フーリエ変換レンズ２３、ピンホール２４、フーリエ変換レンズ２６、対物レンズ２８、ミラー３０、集光レンズ３１、ミラー３２を備える。
【００２１】
図１は、光学部１０において、第１信号光４１および第１参照光４２を発生させ、第１ホログラムを形成するための光路について説明する図であり、図３は、光学部１０において、第２信号光４３および第２参照光４４を発生させ、第２ホログラムを形成するための光路について説明する図である。
【００２２】
まず、図１で示す光学部１０で形成する光路およびその光路を導かれた光ビームの奏する作用について説明する。レーザ光源１１からの光ビームは、１／２波長板１２を通過して、偏光ビームスプリッタ１３に到達する。ここで、１／２波長板１２の配置を調整することによって光ビームの偏光方向が変化させられ、偏光ビームスプリッタ１３において、１／２波長板１４の側に進行するＰ波（Ｐ偏光波）とミラー３０の側に進行するＳ波（Ｓ偏光波）との光量の分配量が調整される。１／２波長板１４ではＰ波が偏光ビームスプリッタ１６の方向に進行するように配置される。そして、Ｐ波は、さらに、偏光ビームスプリッタ１６を通過して、偏光ビームスプリッタ１８を通過して、反射型強誘電体液晶１９で反射して、偏光方向が変化するＳ波として１／２波長板２０に入射し、Ｐ波として１／２波長板２０から出射される。偏光ビームスプリッタ２１、１／２波長板２２を通過した光ビームは、Ｓ波としてフーリエ変換レンズ２３、ピンホール２４、フーリエ変換レンズ２６を通過して、対物レンズ２８に至る。ここで、フーリエ変換レンズ２３、ピンホール２４、フーリエ変換レンズ２６は高次の回折光を排除して、良好なるホログラムをホログラム再生媒体複製用原盤６０Ａに形成するためのものである。フーリエ変換レンズ２６からの光ビームは平行光として対物レンズ２８を通過し、この光ビームは最終的には光スポットとして記録層６０ｂに集光される第１信号光４１となされる。
【００２３】
ここにおいて、背景技術に示す、コアクシャル方式を採用する場合の信号光と、図１の光路で発生される信号光との領域とは異なるものである。すなわち、背景技術に示すコアクシャル方式では、本実施形態と同様に反射型強誘電体液晶を採用しており、反射型強誘電体液晶には、信号光領域（図２７の（Ｂ）の円形状領域）と参照光領域（図２７の（Ａ）のドーナツ形状領域および図２７の（Ｂ）のドーナツ形状領域）とが備えられている。そして、信号光領域で反射した光ビームが信号光として用いられ、参照光領域で反射した光ビームが参照光として用いられる。一方、この実施形態においては、反射型強誘電体液晶１９の全領域、すなわち、背景技術における、信号光領域および参照光領域のみならず、その中間の部分を含めた全領域、が本実施形態においては信号光領域として用いられる（図２７の（Ａ）を参照）。
【００２４】
なお、以下においては、ホログラム再生媒体複製用原盤６０Ａの符号は、完成前のホログラム再生媒体複製用原盤について用い、完成後のホログラム再生媒体複製用原盤については、ホログラム再生媒体複製用原盤６０Ｂの符号を用いるものとする。両者の違いは、後述する記録層６０ｂ（図２を参照）に完成された（最終所望形態としての形態を有する）ホログラムが形成されているか否かの違いを有するものである。以下においては、完成前のホログラム再生媒体複製用原盤６０Ａと完成後のホログラム再生媒体複製用原盤６０Ｂとは、その符号によってその各々を指し示すものとする。また、記録層６０ｂについては、ホログラム再生媒体複製用原盤６０Ａからホログラム再生媒体複製用原盤６０Ｂに至る過程において、ホログラムが全く形成されない状態、ホログラムが半完成状態として形成されている状態、ホログラムが完成状態として形成されている状態の各々の状態でその態様は、物理的（屈折率の差異）、化学的（ポリマかモノマかの化学的な差異）に、異なりを有するものであるが、符号としては、区別をせずに、すべて記録層６０ｂとして説明をおこなう。
【００２５】
上述の光路では、偏光ビームスプリッタ１３において、ミラー３０の側に進行するＳ波は、ミラー３０で反射して第１参照光４２として記録層６０ｂに入射される。すなわち、図１で示す光路は２光束方式のホログラム記録装置における光路である。第１信号光４１と第１参照光４２とはともにＳ波であるので、ホログラム再生媒体複製用原盤６０Ａの記録層６０ｂにおいて、干渉縞を形成してこの干渉縞に応じたホログラム（第１ホログラム）が記録層６０ｂに形成される。
【００２６】
図２は、ホログラム再生媒体複製用原盤６０Ａの構造と、記録層６０ｂに照射される第１信号光４１および第１参照光４２の各々とについて模式的に示すものであり、第１信号光４１の焦点位置を焦点位置Ｐ１で示す。第１参照光４２は略平行光として記録層６０ｂに斜め方向から入射される。ここで、ホログラム再生媒体複製用原盤６０Ａは、フォトポリマ等で形成された記録層６０ｂを有するとともに、ガラス、ポリカーボネイト等で形成された保持基板６０ａと保持基板６０ｃとを有し、保持基板６０ａおよび保持基板６０ｃによって、記録層６０ｂはその両側を挟まれている。保持基板６０ａはホログラム再生媒体複製用原盤６０Ａの形状を保ち、外部環境から記録層６０ｂを保護するに十分な厚さとされ、保持基板６０ｃは、外部環境から記録層６０ｂを保護するに十分な厚さとされている。また、保持基板６０ａおよび保持基板６０ｃの材料としては、第１信号光４１および第１参照光４２、さらには、第２信号光４３および第２参照光４４（図３を参照）、複製用光ビーム８５（図１０を参照）を透過する性質を有するものであれば、ガラス、ポリカーボネイト以外の種々の材料を用いることができる。
【００２７】
次に、図３で示す、第２ホログラムを形成するための光学部１０で形成する光路およびその光路を導かれた光ビームの奏する作用について説明する。ホログラム再生媒体複製用原盤６０Ａの記録層には、図１に示す光路を採用してホログラムが形成されており、図３に示す光路は、これを採用してさらに、ホログラム再生媒体複製用原盤６０Ａにホログラム（第２ホログラム）を形成するものである。図３に示す光路の大部分は、図１に示す光路を形成する光学部品によって形成されるが、その一部において異なるものであるので、この異なる点を中心に説明する。ここで、第１ホログラムと第２ホログラムとはフォーカス方向（図４で紙面の上下方向）に離間して、かつ、重複して形成される。
【００２８】
図３に示す光路においては、レーザ光源１１からの光ビームは、１／２波長板１２を通過して、偏光ビームスプリッタ１３に到達する。ここで、１／２波長板１２の配置を調整することによって光ビームの偏光方向が変化させられ、偏光ビームスプリッタ１３において、１／２波長板１４の側に進行するＰ波とミラー３０の側に進行するＳ波との光量の分配量が調整される。ここで、１／２波長板１４は、図１に示す光路における配置とは異なり、π／４回されており、１／２波長板１４から出た光ビームはＳ波となる。１／２波長板１４から出た光ビームは偏光ビームスプリッタ１６で折り曲げられ、集光レンズ３１を通過するが、この集光レンズ３１は焦点の長い凸レンズであるので、集光レンズ３１を出た光ビームは非平行光となり、ミラー３２で反射して、偏光ビームスプリッタ２１で折り曲げられ、１／２波長板２２に至る。ここで、１／２波長板２２は図１に示す配置ではなく、π／４回されており、フーリエ変換レンズ２３、ピンホール２４、フーリエ変換レンズ２６を通過して、対物レンズ２８に至る。対物レンズ２８に入射する光ビームは平行光ではないので、この光ビームは最終的には光スポットとして記録層６０ｂに集光される第２信号光４３となされる。ここで、第２信号光４３は、反射型強誘電体液晶１９で空間変調を受けていないので情報を有せず、対物レンズ２８に非平行光として入射するので、その光スポットの焦点位置は焦点位置Ｐ２で示すように焦点位置Ｐ１よりも対物レンズ２８に近い側となる。ここで、集光レンズ３１として凸レンズを用いたので、対物レンズ２８に入射する非平行光は収束光となるが、集光レンズ３１として凹レンズを用いる場合には、対物レンズ２８に入射する非平行光は発散光となり、焦点位置Ｐ１と焦点位置Ｐ２との位置関係（図４を参照）は逆転するが、焦点位置Ｐ１と焦点位置Ｐ２との位置関係が逆であっても同様の効果を奏することができる。
【００２９】
一方、偏光ビームスプリッタ１３において、ミラー３０の側に進行するＳ波は、ミラー３０で反射して第２参照光４４として記録層６０ｂに入射される。すなわち、図３で示す光路は２光束方式のホログラム記録装置における光路である。第２信号光４３と第２参照光４４とはともにＳ波であるので、ホログラム再生媒体複製用原盤６０Ａの記録層６０ｂにおいて、干渉縞を形成してこの干渉縞に応じたホログラムが記録層６０ｂに形成される。すなわち、図１に示す光路によって生じる干渉縞によるホログラム（第１ホログラム）と図３に示す光路によって生じる干渉縞によるホログラム（第２ホログラム）とが上述したように多重に記録層６０ｂに記録されることとなる。このようにして、完成したホログラム再生媒体複製用原盤６０Ｂを得ることができる。
【００３０】
上述した、ホログラム再生媒体複製用原盤６０Ａの形状は、円盤状の形状であっても、カード形状（方形）であっても、他の形状であっても良く、図１および図３には図示しない機構部によって、第１信号光４１、第１参照光４２、第２信号光４３および第２参照光４４に対するホログラム再生媒体複製用原盤６０Ａの相対位置が変更されるようになされ、順次、ホログラム再生媒体複製用原盤６０Ａの異なる領域にホログラムが形成されて、ホログラム再生媒体複製用原盤６０Ｂが完成するようになされている。
【００３１】
図４は、実線によって、第２信号光４３および第２参照光４４の各々が、どのように、記録層６０ｂに照射されるかとについて模式的に示すものであり、第２信号光４３の焦点位置を焦点位置Ｐ２で示す。破線は、比較のために、図１に示す光路によって発生する第１信号光４１および第１参照光４２の各々を示すものである。ここで、焦点位置Ｐ１と焦点位置Ｐ２とが異なる点に配置されるために、後述するようにしてホログラム再生媒体複製用原盤６０Ｂを用いて製造されるホログラム再生媒体に良好なるホログラムを形成することができる。すなわち、焦点位置Ｐ１と焦点位置Ｐ２とが記録層６０ｂの幅との比較において十分に離間して、図７に沿って後述する４つのホログラムが形成されれば、目的を達することができるものである。
【００３２】
図５は、このようにして製造されたホログラム再生媒体複製用原盤６０Ｂを用いてホログラム再生媒体を製造する過程を示すものである。ホログラム再生媒体８０Ａは、フォトポリマ等で形成された記録層８０ｂを有するとともに、ガラス、ポリカーボネイト等で形成された保持基板８０ａと保持基板８０ｃとを有し、保持基板８０ａおよび保持基板８０ｃによって、記録層８０ｂはその両側を挟まれている。保持基板８０ａはホログラム再生媒体８０Ａの形状を保ち、外部環境から記録層８０ｂを保護するに十分な厚さとされ、保持基板８０ｃは、外部環境から記録層８０ｂを保護するに十分な厚さとされている。また、保持基板８０ａおよび保持基板８０ｃの材料としては、複製用光ビーム８５によって発生した回折光を透過する性質を有するものであれば、ガラス、ポリカーボネイト以外の種々の材料を用いることができる。
【００３３】
なお、以下の説明においては、ホログラムの複製が完了するまで、すなわち、全くホログラムが記録されていない状態およびホログラムが途中まで記録された状態であって完成には至らない状態のホログラム再生媒体をホログラム再生媒体８０Ａの符号を付して示し、完成には至った状態のホログラム再生媒体をホログラム再生媒体８０Ｂの符号を付して示すものとする。また、記録層８０ｂについては、ホログラム再生媒体８０Ａからホログラム再生媒体８０Ｂに至る過程において、ホログラムが全く形成されない状態、ホログラムが半完成状態として形成されている状態、ホログラムが完成状態として形成されている状態の各々の状態でその態様は、物理的（屈折率）、化学的（ポリマかモノマ）に異なるものであるが、符号としては、区別をせずにすべて記録層８０ｂとして説明をおこなう。ここで、ホログラム再生媒体８０Ｂは、従来知られているホログラム再生媒体、ホログラム記録再生媒体が備えている反射膜を有しない点を特徴とするものである。
【００３４】
図５に示すように、ホログラム再生媒体複製用原盤６０Ｂ、角度反射膜９０、ホログラム再生媒体８０Ａおよびミラー１９０を順次積層する。積層するに際しては、図５に示すように均一な幅の空間（幅が零も含む）を上述した各々の部材の間に設けるようにして複製するホログラムの形態を最良（再生時における信号対雑音比（ＳＮＲ）を最良）とする。角度反射膜９０は複製用光ビーム８５の入射角度に応じて、角度反射膜９０の表面で光ビームを透過するか、光ビームを反射するかを選択する膜である。図６に角度反射膜９０の特性の一例を示す。図６に示すグラフの縦軸は反射率を示し、横軸は入射角度を示すものである。符号Ｒｓを付したグラフはＳ波の反射率を示し、符号Ｒｐを付したグラフはＰ波の反射率を示すものである。
【００３５】
複製用光ビーム８５は、レーザ光源１１からの光ビームと略同一の波長を有する光ビームであり、殆どすべての光ビームが角度反射膜９０で反射するような角度で図５に示すようにしてホログラム再生媒体複製用原盤６０Ｂに入射して、角度反射膜９０で反射する。このときに、複製用光ビーム８５とホログラム再生媒体複製用原盤６０Ｂの記録層６０ｂに形成されたホログラムとの作用によって回折光が発生する。この回折光は、図５においては、記録層６０ｂとミラー１９０との間の２本の実線の間の空間、および、記録層６０ｂとミラー１９０との間の２本の破線の間の空間で模式的に示されている。
【００３６】
図７は、この実線で示す回折光と破線で示す回折光との２種類の回折光が、どのようにホログラム再生媒体８０Ａに作用するかを示す図である。図７の（Ａ）ないし図７の（Ｄ）の各々はホログラムが形成される領域を模式的に、２種類の回折光の作用を分解して示すものであり、現実には、図７の（Ａ）ないし図７の（Ｄ）のすべての状態が入り交じった形態としてホログラムは形成されている。図７の（Ａ）は、破線で示す光ビームであって行きの光ビーム（保持基板８０ａ側から入射する光ビーム）と、実線で示す光ビームであって行きの光ビームとによって形成されるホログラムを示す。また、図７の（Ｂ）は、破線で示す光ビームであって行きの光ビーム（保持基板８０ａ側から入射する光ビーム）と、実線で示す光ビームであって反射後の光ビーム（ミラー１９０で反射して保持基板８０ｃ側から入射する光ビーム）とによって形成されるホログラムを示す。
また、図７の（Ｃ）は、破線で示す光ビームであって反射後の光ビームと、実線で示す光ビームであって行きの光ビームとによって形成されるホログラムを示す。また、図７の（Ｄ）は、破線で示す光ビームであって反射後の光ビームと、実線で示す光ビームであって反射後の光ビームとによって形成されるホログラムを示す。
【００３７】
ここで、実線で示す焦点位置Ｐ２の位置は対物レンズ２８に寄った位置に存在するので、ミラー１９０で反射する実線に対応した回折光は拡がり、そのために、図７の（Ａ）で示すホログラムおよび図７の（Ｃ）で示すホログラムに較べて、図７の（Ｂ）で示すホログラムおよび図７の（Ｄ）で示すホログラムは明瞭ではなく、ホログラム再生媒体８０Ｂに参照光を照射して、記録データを再生するに際して、図７の（Ａ）で示すホログラムおよび図７の（Ｃ）で示すホログラムからの回折光の光量に較べて、図７の（Ｂ）で示すホログラムおよび図７の（Ｄ）で示すホログラムからの回折光の光量はより少ないものとなる。すなわち、記録再生に主として寄与するホログラムは、図７の（Ａ）で示すホログラムおよび図７の（Ｃ）で示すホログラムである。このように、４種類の干渉縞のパターンを総合してホログラムが形成される点が、上述したように反射膜を有しないことに加えた本実施形態のホログラム再生媒体８０Ｂの特徴である。
【００３８】
なお、複製用光ビーム８５は、幅の広いビームを照射する物としても良く、また、細い光ビームを２次元的にスイープして照射するようにしても良いものである。さらに、ホログラム再生媒体複製用原盤６０Ｂの全面に光ビームを照射するようにして一度にホログラム再生媒体８０Ｂを製造するようにしても良いものである。また、ホログラム再生媒体８０Ｂの製造が完了した後に、干渉性の悪い光ビーム、例えば、発光素子（ＬＥＤ）の光を照射してモノマを使い切る後処理（モノマをポリマにしてしまう処理）をおこなう。
【００３９】
以下、図８ないし図２１を参照して、種々の変形例を示す。
【００４０】
図８はホログラム再生媒体複製用原盤６０Ｂの製造技術に関する第１変形例であり、第１ホログラムを形成するための別の光路を示すものであるが、多くの部分において、図３に示す光路を構成する光学部材と共通の光学部材を有するので、図３と異なる部分についてのみ以下に説明する。図３において示す第２信号光４３は空間変調を受けない一様な情報を有しないものとしたが、図８に示すように、偏光ビームスプリッタ１６と集光レンズ３１との間に透過型液晶４９を配して、空間変調をおこなうようにしても良い。この場合においても、透過型液晶４９の全領域を用いて光ビームの光量を有効に用いることができる。また、空間変調の内容を記録データに対応させれば、第２ホログラムは、情報を有することとなり、この第２ホログラムが含む記録データをホログラム再生媒体８０Ｂから読み出すことができ、多重化が可能となる。この場合においては、透過型液晶４９の全領域を用いているので、可能な多重化の数を増大することができる。
【００４１】
図９はホログラム再生媒体複製用原盤６０Ｂの製造技術に関する第２変形例であるが、図１においては、第１参照光４２および図３における第２参照光４４の入射方向が第１信号光４１および図３における第１信号光４２と同一方向から入射するものであった。すなわち、第１信号光４１および第２信号光４３が保持基板６０ｃの側から入射するものであった。これに対して、図９に示す光路では、第１参照光４２および第２参照光４４は保持基板６０ａの側から入射するようになされ、さらに、プリズム６２および、オイル（光学媒質）６３を用いて、第１参照光４２および第２参照光４４を効率良くホログラム再生媒体複製用原盤６０Ａに導いている。すなわち、プリズム角度αの角度を調整することによって空気とプリズム６２の間およびプリズム６２とホログラム再生媒体複製用原盤６０Ａの間との各々において、第１参照光４２および第２参照光４４の各々が反射することがないようにされ、オイル６３の屈折率をプリズム６２およびホログラム再生媒体複製用原盤６０Ａの保持基板６０ａに近いものとすることによって、さらに、第１参照光４２および第２参照光４４が、プリズム６２と保持基板６０ａとの界面で反射することがないようにしている。
【００４２】
また、ダミーガラス６１を用いて、ホログラム再生媒体８０Ａの発生する収差を、ホログラム再生媒体複製用原盤の製造の時点で予め補正して、このようにして製造されたホログラム再生媒体複製用原盤６０Ｂを用いて製造されるホログラム再生媒体８０Ｂに正確にホログラムが複製できるようにしている。また、図９においては、焦点位置Ｐ１と焦点位置Ｐ２とを明示することなく２つの光ビームを合わせて破線で記載しているが、焦点位置Ｐ１と焦点位置Ｐ２との関係は、図４に示すと同様なものであり、以下の図１１、図１３、図１５、図１７および図２０においても同様に破線で省略して記載するものである。
【００４３】
図１０は第２変形例によって製造されたホログラム再生媒体複製用原盤６０Ｂを用いてホログラム再生媒体８０Ｂを製造する過程を模式的に示すものである。図１０に示すホログラム再生媒体８０Ｂを製造においては、ミラー１９０、ホログラム再生媒体８０Ａ、ホログラム再生媒体複製用原盤６０Ｂ、プリズム６２が順次配置され、オイル６３がホログラム再生媒体複製用原盤６０Ｂとプリズム６２との間に介在するようになされ、複製用光ビーム８５が図１０に示すようにプリズム６２を介してホログラム再生媒体複製用原盤６０Ｂに照射される。ホログラム再生媒体複製用原盤６０Ｂから発生する回折光は、保持板８０ｃからホログラム再生媒体８０Ａに入射し（行きの回折光）、ミラー１９０で反射して、保持板８０ａから入射する（反射後の回折光）。このとき、行きの回折光と反射後の回折光とが干渉して、ホログラム再生媒体８０Ａに反射型ホログラムを形成しホログラム再生媒体８０Ｂが完成する。
【００４４】
ここで、ホログラム再生媒体６０Ｂについて補足説明をする。従来の光記録再生媒体、例えば、ＣＤディスク、ＤＶＤディスク、Ｂｌｕ−ｒａｙディスク（登録商標）では基板の厚さが互換性に大きな影響を与える。例えば、保持基板の厚さが０．１ｍｍとされるＢｌｕ−ｒａｙディスクに対応した記録再生装置において、光が入射する側の保持基板の厚さが１．２ｍｍとされるＣＤディスク、保持基板の厚さが０．６ｍｍとされるＤＶＤディスクに対する記録再生は困難である。一方、ホログラム再生媒体またはホログラム記録再生媒体の保持基板については、例えば、保持基板の厚さが０．５ｍｍから０．１ｍｍの範囲であったとしてもなんら支障が生じることはない。その理由は、記録層がポリマで形成されている場合、記録層の屈折率と保持基板の屈折率が極めて近く、厚さ方向において、光学的な観点から保持基板であるか記録層であるかを考慮かを気にする必要がなく、また、入射側の保持基板表面から反射膜までの距離はホログラム再生媒体またはホログラム記録再生媒体においても、記録再生の互換性を図る点においては重要なパラメータであるが、このホログラム再生媒体８０Ｂの場合は反射膜がなく、これについても記録再生の互換性を阻害する要因とはならない。したがって、図１０に示すホログラム再生媒体８０Ａでは保持基板８０ａが保持基板８０ｃに較べてより厚みが厚いものとして記載されているが、この厚みの関係は、逆に保持基板８０ｃが保持基板８０ａに較べてより厚みが厚いものであっても良い。この点については、図１０に示す変形例に限らず、図５に示す実施例、図１２、図１４、図１６、図１９、図２１、図２３の変形例についても同様のことが言えるものである。
【００４５】
図１１はホログラム再生媒体複製用原盤６０Ｂの製造技術に関する第３変形例であるが、図１０の変形例をさらに変形したものであり、第２変形例において用いたダミーガラス６１を用いることなく、対物レンズ１２８によって予め、ホログラム再生媒体８０Ａの発生する収差を補正するものである。その他の部分については、第２変形例と同様であるので説明を省略する。
【００４６】
図１２は第３変形例によって製造されたホログラム再生媒体複製用原盤６０Ｂを用いてホログラム再生媒体８０Ｂを製造する過程を模式的に示すものである。図１０におけると同様の構成を有し同様の作用を奏する部分については、同一の符号を付して説明を省略する。
【００４７】
図１３はホログラム再生媒体複製用原盤６０Ｂの製造技術に関する第４変形例であるが、図１１に示す第３変形例と異なる点は、焦点位置Ｐ１および焦点位置Ｐ２が、より、対物レンズ１２８から離れる位置とされているものである。また、図１４は、第４変形例によって製造されたホログラム再生媒体複製用原盤６０Ｂを用いてホログラム再生媒体８０Ｂを製造する過程を模式的に示すものである。図１２におけると同様の構成を有し同様の作用を奏する部分については、同一の符号を付して説明を省略する。
【００４８】
図１５はホログラム再生媒体複製用原盤６０Ｂの製造技術に関する第５変形例であるが、これまでに述べた実施形態および変形例と異なる点は、ダミーガラス１６１とプリズム６５とをホログラム再生媒体複製用原盤６０Ａの同一の側に配置し、第１信号光４１、第２信号光４３、第１参照光４２および第２参照光４４をホログラム再生媒体複製用原盤６０Ａの同一の側から導く点である。ダミーガラス１６１とプリズム６５の形状は相互の物理的な干渉を防ぐような形状となされている。また、図１６は、第５変形例によって製造されたホログラム再生媒体複製用原盤６０Ｂを用いてホログラム再生媒体８０Ｂを製造する過程を模式的に示すものである。これまでに述べた実施形態および変形例におけると同様の構成を有し同様の作用を奏する部分については、同一の符号を付して説明を省略する。
【００４９】
図１７はホログラム再生媒体複製用原盤６０Ｆの製造技術に関する第６変形例であるが、これまでに述べた実施形態および変形例と異なる点は、ホログラム再生媒体複製用原盤６０Ｆは、上述した、保持基板６０ａ、記録層６０ｂ、保持基板６０ｃに加えて角度偏光膜６０ｄを備える点である。角度偏光膜６０ｄを備えることによって、ホログラム再生媒体複製用原盤６０Ｆの製造前のホログラム再生媒体複製用原盤であるホログラム再生媒体複製用原盤６０Ｅにおいては、光ビームを角度偏光膜６０ｄは透過し、ホログラム再生媒体８０Ｂの製造においては、ホログラム再生媒体８０Ａに複製用光ビーム８５が照射されることなく、回折光のみが照射されるようにするものである。
【００５０】
図１８は、角度偏光膜６０ｄの特性を示すグラフであり、Ｓ波は、入射角度に関係なく、殆どすべて透過し、Ｐ波は入射角度が小さい領域ＡｒＣでは透過せずに殆ど全反射に近い状態となり、入射角度が大きい領域ＡｒＤでは、殆どすべて透過し、両者の中間の領域では、反射する成分と透過する成分とが混在する。
【００５１】
上述したように、図１、図３、図８に示す光路ではホログラム再生媒体複製用原盤６０Ｆを製造するに用いるのはＳ波であるので、図１７に示すように、第１信号光４１、第２信号光４３、第１参照光４２および第２参照光４４のいずれもが、ホログラム再生媒体複製用原盤６０Ｅを透過して、ホログラム再生媒体複製用原盤６０Ｆの製造がおこなわれる。
【００５２】
また、図１９は、第６変形例によって製造されたホログラム再生媒体複製用原盤６０Ｆを用いてホログラム再生媒体８０Ｂを製造する過程を模式的に示すものである。ホログラム再生媒体複製用原盤６０Ｆには複製用光ビーム８５としてＰ波が照射される。複製用光ビーム８５の入射角度は図１８に示す領域ＡｒＣの範囲にされているので、このＰ波は図１９に図示するように角度偏光膜６０ｄにおいて反射して、ホログラム再生媒体８０Ａに達することはない。複製用光ビーム８５によって生じる回折光９５のみがホログラム再生媒体８０Ａに達して、この回折光によってホログラムが形成されホログラム再生媒体８０Ｂが製造される。
【００５３】
図２０はホログラム再生媒体複製用原盤６０Ｂの製造技術に関する第７変形例であるが、これまでに述べた実施形態および変形例と異なる点は、ダミーガラス２６１を配置する点である。ダミーガラス２６１は後述する角度反射膜２００（図２１を参照）で発生する収差およびホログラム再生媒体８０Ａで発生する収差を予め補償するものである。角度選択膜は光ビームの偏光方向によらず、複製用光ビーム８５の入射角度が所定角度よりも小さい場合には全反射する性質を有するものである。従って、第１信号光４１、第２信号光４３、第１参照光４２、第２参照光４４のいずれの入射角度も所定角度よりも大きな入射角度とすることによって、ホログラム再生媒体複製用原盤６０Ａにホログラムを形成して、ホログラム再生媒体複製用原盤６０Ｂを製造することができる。
【００５４】
また、図２１は、第７変形例によって製造されたホログラム再生媒体複製用原盤６０Ｂを用いてホログラム再生媒体８０Ｂを製造する過程を模式的に示すものである。ここで、複製用光ビーム８５の入射角度は所定角度以下とされ、角度反射膜２００で複製用光ビーム８５は全反射して、回折光９５のみが、ホログラム再生媒体８０Ａに作用してホログラム再生媒体８０Ｂが製造される。ここで、角度反射膜２００は、上述した図６に示す特性と同様の特性を示すものである。
【００５５】
図２２は、図１７に示すホログラム再生媒体複製用原盤６０Ｆの製造技術に関する第６変形例をさらに変形した第８変形例であり、第１信号光４１、第２信号光４３、第１参照光４２および第２参照光４４の入射方向を保持基板６０ａの側とするものである。また、図２３は、第８変形例によって製造したホログラム再生媒体複製用原盤６０Ｆを用いてホログラム再生媒体８０Ｂを製造する過程を示す図であり、図１９におけると同一部分には同一の符号を付して、説明を省略する。
【００５６】
図２４は、上述した技術を用いて製造されたホログラム再生媒体８０Ｂにホログラムの形態として記録された記録データを再生するホログラム再生装置の光学部１５０を示すものである。光学部１５０は、レーザ光源５１、偏光ビームスプリッタ５２、空間変調器としての反射型強誘電体液晶５３、１／４波長板５４、対物レンズ５５、リレーレンズ５６、リレーレンズ５７、ＣＣＤ、ＣＭＯＳセンサ等の受光素子５８で構成されている。また、図２５は上述の構成を有する光学部１５０の光学部品の一部の配置を変更することによって、従来のホログラム記録再生媒体１８０にホログラムとして記録データを記録し、ホログラムから記録データを再生するホログラム記録再生装置の光学部として、この光学部１５０を機能させることができることを説明する図である。従来のホログラム記録再生媒体１８０は、保持基板１８０ａ、記録層１８０ｂ、反射層１８０ｃ、保持基板１８０ｄを備える従来から知られているホログラム記録再生媒体である。
【００５７】
図２４に沿ってホログラム再生媒体８０Ｂからの記録データの再生の動作を説明する。レーザ光源５１からの光ビームは、偏光ビームスプリッタ５２で反射して、反射型強誘電体液晶５３に照射される。図２６の（Ａ）は、反射型強誘電体液晶５３に表示されているパターンの領域を示すものであり、例えば、この領域内のすべてのピクセルが反射するように設定されている。ここで、図２６の（Ａ）に示すパターンが形成されている領域は、従来のコアクシャル方式のホログラム記録再生装置の空間変調器における参照光領域（図２７の（Ａ）のドーナツ形状領域および図２７の（Ｂ）のドーナツ形状領域を参照）と信号光領域（図２７の（Ｂ）の円形状領域）と参照光領域と信号光領域との中間の領域を含むものである。このパターンによって反射した参照光（図２４において実線で示す）は、偏光ビームスプリッタ５２、１／４波長板５４を通過して対物レンズ５５で集光されホログラム再生媒体８０Ｂに照射され回折光（図２４において破線で示す）を発生して、この回折光は、対物レンズ５５、１／４波長板５４を通過して、１／４波長板５４の作用で偏光方向が変化させられた回折光は偏光ビームスプリッタ５２で折れ曲がり、リレーレンズ５６、リレーレンズ５７を通過して受光素子５８で受光される。
【００５８】
図２６の（Ｃ）は、このとき、受光素子５８に受光される像が形成される領域を模式的に示すものであり、回折光、すなわち、ホログラムの形態に応じた像が図２６の（Ｃ）の領域に受光される。この図２６の（Ｃ）に示す領域は、従来のコアクシャル方式のホログラム記録再生装置の空間変調器における参照光領域（図２７の（Ａ）のドーナツ形状領域および図２７の（Ｂ）のドーナツ形状領域を参照）と信号光領域（図２７の（Ｂ）の円形状領域）と参照光領域と信号光領域との中間の領域を含むものである。図２６の（Ｃ）に示す領域の各々のピクセルからの電気信号を図示しない信号処理部で処理することによって、記録データの再生が可能となる。
【００５９】
図２５に沿って、この光学部１５０を用いて従来のホログラム記録再生媒体であるのホログラム記録再生媒体１８０の記録再生の動作を説明する。記録の動作について説明する。レーザ光源５１からの光ビームは、偏光ビームスプリッタ５２で反射して、反射型強誘電体液晶５３に照射される。図２７の（Ｂ）は、反射型強誘電体液晶５３に表示されているパターンを示すものであり、このパターンの参照光領域（図２７の（Ｂ）のドーナツ形状領域）に応じて参照光が、信号光領域（図２７の（Ｂ）の円形状領域）に応じて信号光が発生する。参照光（図２５において実線で示す）と信号光（図２５において破線で示す）とは、偏光ビームスプリッタ５２、１／４波長板５４を通過して対物レンズ５５で集光されホログラム再生媒体８０Ｂに照射され干渉縞を生じて、この干渉縞に応じたホログラムをホログラム記録再生媒体１８０の記録層１８０ｂに形成する。なお、信号光領域のパターンは記録データに応じたものである。
【００６０】
図２５に沿って、再生の動作について説明する。レーザ光源５１からの光ビームは、偏光ビームスプリッタ５２で反射して、反射型強誘電体液晶５３に照射される。図２７の（Ａ）は、反射型強誘電体液晶５３に表示されているパターンを示すものであり、このパターンの参照光領域（図２７の（Ａ）のドーナツ形状領域）に応じて参照光が発生する。参照光（図２５において実線で示す）は、偏光ビームスプリッタ５２、１／４波長板５４を通過して対物レンズ５５で集光されホログラム記録再生媒体１８０に照射され、回折光（図２５において破線で示す）を発生して、この回折光は、対物レンズ５５、１／４波長板５４を通過して、１／４波長板５４の作用で偏光方向が変化させられた回折光は偏光ビームスプリッタ５２で折れ曲がり、リレーレンズ５６、リレーレンズ５７を通過して受光素子５８で受光される。
【００６１】
図２７の（Ｃ）は、このとき、受光素子５８に受光される像の領域を模式的に示すものであり、回折光、すなわち、ホログラムの形態に応じた像が図２７の（Ｃ）の中心部の円状領域に受光される。図２６の（Ｃ）に示す中心部の円状領域の各々のピクセルからの電気信号を図示しない信号処理部で処理することによって、記録データの再生が可能となる。ここで、図２４および図２５に示す矢印は、ホログラム再生媒体８０Ｂを再生する場合の光軸の中心であり、ホログラム記録再生媒体１８０からの記録データを再生する場合には、光軸の中心が異なるものとなる（図２５の紙面の下方向にずれる）。従って、ホログラム記録再生媒体１８０からの記録データを再生する場合には、リレーレンズ５６、リレーレンズ５７および受光素子５８の位置を図２５の紙面の上方向に移動させることとなる。また、受光素子５８に形成される像の位置が、ホログラム再生媒体８０Ｂを再生する場合とは図２５の紙面の左右方向にずれるので、リレーレンズ５６の位置、リレーレンズ５７の位置、リレーレンズ５７の位置、または受光素子５８の位置のいずれか、または、これらの２以上を紙面の左右方向に位置変更する。あるいは、上述した光学部品の位置を変更することとなく、上述した光学部品以外の部品（偏光ビームスプリッタ５２までの光路を形成する部品）の位置を変更するようにしても良い。
【００６２】
上述したホログラム再生媒体複製用原盤６０Ｂまたはホログラム再生媒体複製用原盤６０Ｆは、上述したようにして製造することができ、このようなホログラム再生媒体複製用原盤６０Ｂまたはホログラム再生媒体複製用原盤６０Ｆを用いたホログラム再生媒体８０Ｂは、従来のホログラム記録再生媒体よりも高密度なものとできる。従って、結果として、従来のホログラム記録再生媒体から単位時間に読み出すデータ量に較べて、より多くのデータ量を読み出すことができる。
【００６３】
また、ホログラム再生媒体８０Ｂは、反射膜を有しないので、製造過程において反射膜を付加する工程を不要として、ホログラム再生媒体の製造を容易として、製造コストを低いものとし、さらに、再生特性の向上が図れる。
【００６４】
さらに、上述した光学部１５０を採用するホログラム再生装置またはホログラム記録再生装置によって、容易に従来のホログラム記録再生媒体と互換性を有して、ホログラム再生媒体８０Ｂを再生することが可能とできるものである。
【００６５】
上述した実施形態は、いずれも、本発明の一実施形態に過ぎず、上述の実施形態に本発明が限定されるものではなく、技術的な思想を同一とする範囲内の変形および組み合わせの実施形態も当然に本発明の範囲に含まれるものである。
【図面の簡単な説明】
【００６６】
【図１】ホログラム再生媒体複製用原盤を製造するための製造装置の主要部である光学部の概念図である。
【図２】ホログラム再生媒体複製用原盤を製造する過程における光ビームの照射を示す図である。
【図３】ホログラム再生媒体複製用原盤を製造するための製造装置の主要部である光学部の概念図である。
【図４】ホログラム再生媒体複製用原盤を製造する過程における光ビームの照射を示す図である。
【図５】ホログラム再生媒体複製用原盤を用いてホログラム再生媒体を製造する過程を示す図である。
【図６】角度反射膜の特性の一例を示す図である。
【図７】２種類の回折光がホログラム再生媒体にどのように作用するかを示す図である。
【図８】ホログラム再生媒体複製用原盤の製造技術に関する変形例を示す図である。
【図９】ホログラム再生媒体複製用原盤の製造技術に関する変形例を示す図である。
【図１０】変形例によって製造されたホログラム再生媒体複製用原盤を用いてホログラム再生媒体を製造する過程を示す図である。
【図１１】ホログラム再生媒体複製用原盤の製造技術に関する変形例を示す図である。
【図１２】変形例によって製造されたホログラム再生媒体複製用原盤を用いてホログラム再生媒体を製造する過程を示す図である。
【図１３】ホログラム再生媒体複製用原盤の製造技術に関する変形例を示す図である。
【図１４】変形例によって製造されたホログラム再生媒体複製用原盤を用いてホログラム再生媒体を製造する過程を示す図である。
【図１５】ホログラム再生媒体複製用原盤の製造技術に関する変形例を示す図である。
【図１６】変形例によって製造されたホログラム再生媒体複製用原盤を用いてホログラム再生媒体を製造する過程を示す図である。
【図１７】ホログラム再生媒体複製用原盤の製造技術に関する変形例を示す図である。
【図１８】角度偏光膜の特性を示す図である。
【図１９】変形例によって製造されたホログラム再生媒体複製用原盤を用いてホログラム再生媒体を製造する過程を示す図である。
【図２０】ホログラム再生媒体複製用原盤の製造技術に関する変形例を示す図である。
【図２１】変形例によって製造されたホログラム再生媒体複製用原盤を用いてホログラム再生媒体を製造する過程を示す図である。
【図２２】ホログラム再生媒体複製用原盤の製造技術に関する変形例を示す図である。
【図２３】変形例によって製造されたホログラム再生媒体複製用原盤を用いてホログラム再生媒体を製造する過程を示す図である。
【図２４】ホログラム再生媒体に記録されたホログラムから信号を再生するホログラム再生装置の光学部を示す図である。
【図２５】従来のホログラム記録再生媒体の記録再生との互換性について説明する図である。
【図２６】反射型強誘電体液晶に表示されるパターンの領域、受光素子に像が形成される領域を模式的に示す図である。
【図２７】従来における反射型強誘電体液晶に表示されるパターンの領域、受光素子に像が形成される領域を模式的に示す図である。
【符号の説明】
【００６７】
１０  光学部、１１、５１  レーザ光源、１２、１４、２０、２２  １／２波長板、１３、１６、１８、２１、５２  偏光ビームスプリッタ、１９、５３  反射型強誘電体液晶、２３、２６  フーリエ変換レンズ、２４  ピンホール、２８、５５、１２８  対物レンズ、３０、３２  ミラー、３１  集光レンズ、４１、４３  信号光、４２、４４  参照光、４９  透過型液晶、５１  レーザ光源、５４  １／４波長板、５６、５７  リレーレンズ、５８  受光素子、６０Ａ、６０Ｂ、６０Ｅ，６０Ｆ  ホログラム再生媒体複製用原盤、６０ａ、６０ｃ、８０ａ、８０ｃ、１８０ａ、１８０ｄ  保持基板、６０ｂ、８０ｂ、１８０ｂ  記録層、６０ｄ  角度偏光膜、６１、２６１  ダミーガラス、６２、６５  プリズム、６３  オイル、８０Ａ、８０Ｂ  ホログラム再生媒体、８０ｂ  記録層、８５  複製用光ビーム、９０、２００  角度反射膜、９５  回折光、１５０  光学部、１６１  ダミーガラス、１８０  ホログラム記録再生媒体、１８０ｃ  反射層、１９０  ミラー、Ｐ１、Ｐ２  焦点位置
【図１】
2008112106.tif 000003
【図２】
2008112106.tif 000004
【図３】
2008112106.tif 000005
【図４】
2008112106.tif 000006
【図５】
2008112106.tif 000007
【図６】
2008112106.tif 000008
【図７】
2008112106.tif 000009
【図８】
2008112106.tif 000010
【図９】
2008112106.tif 000011
【図１０】
2008112106.tif 000012
【図１１】
2008112106.tif 000013
【図１２】
2008112106.tif 000014
【図１３】
2008112106.tif 000015
【図１４】
2008112106.tif 000016
【図１５】
2008112106.tif 000017
【図１６】
2008112106.tif 000018
【図１７】
2008112106.tif 000019
【図１８】
2008112106.tif 000020
【図１９】
2008112106.tif 000021
【図２０】
2008112106.tif 000022
【図２１】
2008112106.tif 000023
【図２２】
2008112106.tif 000024
【図２３】
2008112106.tif 000025
【図２４】
2008112106.tif 000026
【図２５】
2008112106.tif 000027
【図２６】
2008112106.tif 000028
【図２７】
2008112106.tif 000029